(57)【要約】【課題】筐体が大型化することを防止するとともに、表示器の破損を防止することができる携帯端末装置を提供すること。【解決手段】表示器側係合爪を摺動する摺動溝と、かかる摺動溝を摺動した表示器側係合爪と係合するケース側係合爪とを有するケースに対して、表示器側係合爪を有する表示器を摺動させることにより取り付けるとともに、表示器が摺動することによってケースと表示器との間に形成された隙間に所定の部品を配置する。【選択図】図３
2011055297.tif 000002
【特許請求の範囲】
【請求項１】
第１の係合爪を有する表示器と、
前記第１の係合爪を摺動する摺動溝と、前記摺動溝を摺動した第１の係合爪と係合する第２の係合爪とを有するケースと、
前記第１の係合爪が前記摺動溝を摺動することによって前記ケースと前記表示器との間に形成された隙間に配置される部品と
を備えたことを特徴とする携帯端末装置。
【請求項２】
前記ケースは、前記表示器の摺動方向の厚さが所定の寸法である厚壁部と、前記厚壁部よりも前記摺動方向の厚さが薄い薄壁部とを含む側壁部を有し、
前記部品は、前記薄壁部と前記表示器との隙間に配置されることを特徴とする請求項１に記載の携帯端末装置。
【請求項３】
前記部品は、前記摺動方向の寸法が、前記ケースと前記表示器との隙間における前記摺動方向の寸法と略同一であることを特徴とする請求項１または２に記載の携帯端末装置。
【発明の詳細な説明】
【技術分野】
【０００１】
本発明は、携帯端末装置に関する。
【背景技術】
【０００２】
一般に、携帯電話機等の携帯端末装置には、ＬＣＤ（Liquid  Crystal  Display）などの表示器が取り付けられている。図１２に従来の携帯電話機の一例を示す。図１２は、従来の携帯電話機の正面側外観斜視図である。図１２に例示した従来の携帯電話機９は、表示器を備えた可動側筐体９０を有する。かかる可動側筐体９０は、ＬＣＤモジュール９１と、ケース９２とを有する。図１２に示した例において、ＬＣＤモジュール９１は、ケース９２に取り付けられている。
【０００３】
ここで、図１３を用いて、ケース９２にＬＣＤモジュール９１を取り付ける従来手法について説明する。図１３は、ケース９２にＬＣＤモジュール９１を取り付ける従来手法の一例を説明するための図である。図１３に示すように、ＬＣＤモジュール９１およびケース９２は、双方を係合するための爪である係合爪を有する。なお、以下では、ＬＣＤモジュール９１が有する係合爪を「ＬＣＤ側係合爪」と呼び、ケース９２が有する係合爪を「ケース側係合爪」と呼ぶことがある。図１３に示した例では、ＬＣＤモジュール９１は、ＬＣＤ側係合爪９１ａを有し、ケース９２は、ケース側係合爪９２ａおよび９２ｂを有する。なお、図１３では、図示することを省略しているが、ＬＣＤモジュール９１は、ケース側係合爪９２ｂに対応する位置に、ケース側係合爪を有する。また、ＬＣＤモジュール９１は、複数のＬＣＤ側係合爪を有し、ケース９２は、複数のケース側係合爪を有する。
【０００４】
このようなＬＣＤモジュール９１は、ケース９２に押し込まれることにより、ケース９２に取り付けられる。例えば、図１３に示した例において、ＬＣＤモジュール９１は、ケース９２の上面に載置された後に、ＬＣＤモジュール９１の表面からケース９２に対する方向Ｄ９１へ圧入される。そして、ＬＣＤ側係合爪９１ａがケース側係合爪９２ａを通過して、ＬＣＤ側係合爪９１ａとケース側係合爪９２ａとが係合することにより、ＬＣＤモジュール９１は、ケース９２に取り付けられる。
【０００５】
なお、近年では、携帯電話機が有する第二の表示器であるサブ表示器（「サブディスプレイ」や「背面ディスプレイ」と呼ばれる）を、ガイド部と呼ばれるケースへスライドさせることにより、かかるサブ表示器をケースに取り付ける手法が提案されている。かかる手法を用いた場合、サブ表示器をケースに取り付ける作業が容易になると考えられる。
【先行技術文献】
【特許文献】
【０００６】
【特許文献１】特開２００８−１１３１０１号公報
【特許文献２】特開２００７−２０８３３８号公報
【発明の概要】
【発明が解決しようとする課題】
【０００７】
しかしながら、上述した係合爪を用いた従来の手法には、表示器を破損させる場合があるという問題があった。かかる問題について図１４を用いて説明する。図１４は、図１２のＢ１矢視によるＡ１−Ａ１線の断面図である。なお、図１２に示したＬＣＤモジュール９１は、Ａ１−Ａ１線が示す部分にＬＣＤ側係合爪９１ａを有し、図１２に示したケース９２は、Ａ１−Ａ１線が示す部分にケース側係合爪９２ａを有するものとする。また、図１４は、ＬＣＤモジュール９１がケース９２に圧入されている状態を示している。
【０００８】
図１４に示すように、ＬＣＤモジュール９１がケース９２に圧入される場合に、ＬＣＤ側係合爪９１ａは、ケース側係合爪９２ａによって内側方向へ押し動かされる。具体的には、ＬＣＤ側係合爪９１ａは、ケース側係合爪９２ａを通過する際に、内側方向への応力を受ける。このとき、ＬＣＤモジュール９１は、図１４に示した例のように、弓形状に変形するので破損する場合がある。特に、ＬＣＤモジュール９１の端部Ｅ９１は、ＬＣＤ側係合爪９１ａが内側方向へ押し動かされる際に、大きな応力が加わるため破損しやすい。
【０００９】
また、上述したサブ表示器をスライドさせてケースに取り付ける手法を用いて、メイン表示器であるＬＣＤモジュールを可動側筐体に取り付けることも考えられる。しかし、スライドさせてＬＣＤモジュールをケースに取り付ける手法には、携帯電話機が大型化してしまうという問題があった。かかる問題について図１５を用いて説明する。図１５は、図１２のＢ２矢視によるＡ２−Ａ２線の断面図である。図１５の上段に示すように、ケース９２は、ＬＣＤモジュール９１や、基板９３、ＧＰＳ（Global  Positioning  System）フレーム９４、パネル９７などを収納する。
【００１０】
ここで、ケース９２に、ＬＣＤモジュール９１をスライドさせて取り付ける場合には、図１５の下段に示すように、ケース９２に、ＬＣＤモジュール９１をスライドさせるための領域を設けることになる。すなわち、スライド領域を確保するためには、可動側筐体９０をスライド方向に長くすることになる。一般に、携帯電話機の分野において、筐体を小型化することは共通の課題であるので、可動側筐体９０が大型化してしまうことは望ましくない。
【００１１】
開示の技術は、上記に鑑みてなされたものであって、筐体が大型化することを防止しつつ、表示器の破損を防止することができる携帯端末装置を提供することを目的とする。
【課題を解決するための手段】
【００１２】
本願の開示する携帯端末装置は、一つの態様において、表示器側係合爪を有する表示器と、前記表示器側係合爪を摺動する摺動溝と、前記摺動溝を摺動した表示器側係合爪と係合するケース側係合爪とを有するケースと、前記表示器側係合爪が前記摺動溝を摺動することによって前記ケースと前記表示器との間に形成された隙間に配置される部品とを備える。
【発明の効果】
【００１３】
本願の開示する携帯端末装置の一つの態様によれば、筐体が大型化することを防止しつつ、表示器の破損を防止することができるという効果を奏する。
【図面の簡単な説明】
【００１４】
【図１】図１は、本実施例に係る携帯電話機の正面側外観斜視図である。
【図２】図２は、本実施例に係る携帯電話機の背面側外観斜視図である。
【図３】図３は、図１および図２に示した可動側筐体の分解斜視図である。
【図４】図４は、表示器側係合爪の拡大図である。
【図５】図５は、ケース側係合爪の拡大図である。
【図６】図６は、ケースにＬＣＤモジュールを取り付ける手法を説明するための図である。
【図７】図７は、ケースにＬＣＤモジュールを取り付ける手法を説明するための図である。
【図８】図８は、図１のＢ３矢視によるＡ３−Ａ３線の断面図である。
【図９】図９は、ＧＰＳフレームと照度センサフレームとレシーバとがケースに収納された例を示す図である。
【図１０】図１０は、ＧＰＳフレームの拡大図である。
【図１１】図１１は、照度センサフレームの拡大図である。
【図１２】図１２は、従来の携帯電話機の正面側外観斜視図である。
【図１３】図１３は、ケースにＬＣＤモジュールを取り付ける従来手法の一例を説明するための図である。
【図１４】図１４は、図１２のＢ１矢視によるＡ１−Ａ１線の断面図である。
【図１５】図１５は、図１２のＢ２矢視によるＡ２−Ａ２線の断面図である。
【発明を実施するための形態】
【００１５】
以下に、本願の開示する携帯端末装置の実施例を図面に基づいて詳細に説明する。なお、この実施例により本願の開示する携帯端末装置が限定されるものではない。例えば、以下の実施例では、本願の開示する携帯端末装置を携帯電話機に適用する例を示すが、本願の開示する携帯端末装置は、ＰＤＡ（Personal  Digital  Assistant）などの携帯端末装置にも適用することができる。
【実施例】
【００１６】
まず、図１および図２を用いて、本実施例に係る携帯電話機の外観について説明する。図１は、本実施例に係る携帯電話機の正面側外観斜視図であり、図２は、本実施例に係る携帯電話機の背面側外観斜視図である。
【００１７】
図１および図２に示した携帯電話機１は、可動側筐体１０と固定側筐体２０とを有する開閉型の携帯電話機である。可動側筐体１０と固定側筐体２０とは、連結部３０により折り畳み自在に連結されている。可動側筐体１０は、ＬＣＤモジュール１１を有する。また、固定側筐体２０は、操作部２１と各種のサイドキー２２とを有する。これらの可動側筐体１０および固定側筐体２０は、例えば、軽量で高強度のマグネシウム合金等の材料により箱形状に形成されている。
【００１８】
次に、図３を用いて、図１および図２に示した可動側筐体１０の内部構成について説明する。図３は、図１および図２に示した可動側筐体１０の分解斜視図である。図３に示すように、可動側筐体１０は、ＬＣＤモジュール１１と、ケース１２と、基板１３とを有する。
【００１９】
ＬＣＤモジュール１１は、文字や画像を表示する表示器であり、表示器側係合爪１１ａ〜１１ｆを有する。図４に、表示器側係合爪の拡大図を示す。図４には、図３に示した表示器側係合爪１１ｆの拡大図を示す。図４に示すように、表示器側係合爪１１ｆは、ＬＣＤモジュール１１の側面に、外側方向へ突き出す形状で形成されている。具体的には、文字や画像が表示される表示面を上側とすると、表示器側係合爪１１ｆは、ＬＣＤモジュール１１の側面の下側の位置に形成されている。
【００２０】
なお、図４には、図３に示した表示器側係合爪１１ｆの拡大図を示したが、表示器側係合爪１１ａ〜１１ｅも表示器側係合爪１１ｆと同様の形状である。具体的には、表示器側係合爪１１ａ〜１１ｅは、ＬＣＤモジュール１１の側面の下側の位置に、外側方向へ突き出す形状で形成されている。
【００２１】
図３の説明に戻って、ケース１２は、ＬＣＤモジュール１１や、基板１３などが取り付けられる部材であり、ケース側係合爪１２ａ〜１２ｆを有する。図５に、ケース側係合爪１２ｆの拡大図を示す。図５に示すように、ケース側係合爪１２ｆは、ケース１２の内壁面に、内側方向へ突き出す形状で形成されている。具体的には、ＬＣＤモジュール１１が取り付けられた後のＬＣＤモジュール１１の表示面を上側とすると、ケース側係合爪１２ｆは、ケース１２の内壁面の上側の位置に形成されている。また、ケース１２は、図５に示すように、ケース側係合爪１２ｆの下側、すなわち、ケース１２の内壁面の下側に、摺動溝Ｇ１２ｆを有する。かかる摺動溝Ｇ１２ｆは、表示器側係合爪１１ｆを摺動する。
【００２２】
なお、図５には、図３に示したケース側係合爪１２ｆの拡大図を示したが、ケース側係合爪１２ａ〜１２ｅもケース側係合爪１２ｆと同様の形状である。具体的には、ケース側係合爪１２ａ〜１２ｅは、ケース１２の内壁面の上側の位置に、内側方向へ突き出す形状で形成されている。また、ケース１２は、ケース側係合爪１２ａ〜１２ｅの下側、すなわち、ケース１２の内壁面の下側に、表示器側係合爪１１ａ〜１１ｅを摺動する摺動溝をそれぞれ有する。
【００２３】
なお、図３には、ＬＣＤモジュール１１が６個の表示器側係合爪１１ａ〜１１ｆを有し、ケース１２が６個のケース側係合爪１２ａ〜１２ｆを有する例を示した。しかし、ＬＣＤモジュール１１が有する表示器側係合爪の数や、ケース１２が有するケース側係合爪の数は、図３に示した例に限られない。例えば、ＬＣＤモジュール１１が１０個の表示器側係合爪を有し、ケース１２が１０個のケース側係合爪を有してもよい。ただし、表示器側係合爪とケース側係合爪とが１個ずつ係合するので、ＬＣＤモジュール１１が有する表示器側係合爪の数と、ケース１２が有するケース側係合爪の数とは同一であることが望ましい。
【００２４】
図３の説明に戻って、基板１３は、ＧＰＳフレーム１４や、照度センサフレーム１５、レシーバ１６などが取り付けられる。例えば、ＧＰＳフレーム１４や、照度センサフレーム１５などは、両面テープによって基板１３に取り付けられる。そして、ＧＰＳフレーム１４や、照度センサフレーム１５、レシーバ１６などが取り付けられた基板１３は、ケース１２に取り付けられる。
【００２５】
ＧＰＳフレーム１４は、携帯電話機１の位置情報や、標準時刻に関する情報などを取得する部品である。照度センサフレーム１５は、携帯電話機１の周囲の照度を取得する部品である。例えば、携帯電話機１は、照度センサフレーム１５によって取得された照度に応じて、ＬＣＤモジュール１１のバックライトの起動を制御する。レシーバ１６は、外部から信号を受信する部品である。
【００２６】
次に、図６および図７を用いて、ケース１２にＬＣＤモジュール１１を取り付ける手法について説明する。図６および図７は、ケース１２にＬＣＤモジュール１１を取り付ける手法を説明するための図である。なお、図７は、図６のＤ１矢視によるＬＣＤモジュール１１およびケース１２を示す図である。言い換えれば、図７は、図６に示したＬＣＤモジュール１１およびケース１２を、ＬＣＤモジュール１１の表示面と正対した位置から見た図である。
【００２７】
図６に示すように、まず、ＬＣＤモジュール１１は、ケース１２に載置される。このとき、ＬＣＤモジュール１１は、ケース１２に圧入されずに、表示器側係合爪がケース１２の摺動溝に載置されるように、ケース１２上に置かれる。具体的には、図７の左側に示すように、ＬＣＤモジュール１１は、表示器側係合爪１１ａ〜１１ｆと、ケース側係合爪１２ａ〜１２ｆとが重ならないように、ケース１２に載置される。なお、図７の左側に示した例において、表示器側係合爪１１ａ〜１１ｆは、ケース１２の摺動溝上に載置されている。
【００２８】
次いで、ＬＣＤモジュール１１は、図６および図７に示した方向Ｄ２へ摺動される。このとき、ＬＣＤモジュール１１は、表示器側係合爪１１ａ〜１１ｆがケース１２の摺動溝を摺動することにより、ケース１２上を摺動する。そして、ＬＣＤモジュール１１は、図７の右側に示すように、表示器側係合爪１１ａ〜１１ｆと、ケース側係合爪１２ａ〜１２ｆとが係合するまで摺動される。
【００２９】
このように、本実施例に係る携帯電話機１は、ＬＣＤモジュール１１が摺動されることによりケース１２に取り付けられる。このため、本実施例に係る携帯電話機１は、従来の携帯電話機のようにＬＣＤモジュール１１をケース１２に圧入して取り付ける場合と異なり、ＬＣＤモジュール１１が取り付けられる際に、ＬＣＤモジュール１１に対して応力が加わらない。このため、本実施例に係る携帯電話機１は、ＬＣＤモジュール１１が取り付けられる際に、ＬＣＤモジュール１１が破損してしまうことを防止することができる。
【００３０】
ところで、図６および図７に示したように、ＬＣＤモジュール１１を摺動させてケース１２に取り付ける場合には、摺動領域を確保することになるので、可動側筐体１０が摺動方向に長くなってしまうという問題が発生することが考えられる。本実施例に係る携帯電話機１は、かかる問題点についても解消する。図８を用いて具体的に説明する。
【００３１】
図８は、図１のＢ３矢視によるＡ３−Ａ３線の断面図である。なお、図８に示した可動側筐体１０は、Ａ３−Ａ３線が示す部分にＧＰＳフレーム１４が取り付けられるものとする。図８の上段に示すように、ＬＣＤモジュール１１は、摺動されることによりケース１２に取り付けられる。
【００３２】
また、ケース１２は、図８に示すように、ＬＣＤモジュール１１の摺動方向の厚さが所定の寸法である厚壁部Ｋ１１ａと、厚壁部Ｋ１１ａよりも摺動方向の厚さが薄い薄壁部Ｋ１１ｂとを含む形状に形成されている。図１５に示した従来のケース９２と比較して説明する。なお、ここでは、ケース１２のうち、パネル１７が載置される方向を上側とし、基板１３が取り付けられる方向を下側とする。
【００３３】
本実施例におけるケース１２の側壁の上側には、パネル１７が載置される厚壁部Ｋ１１ａが形成されている。かかる厚壁部Ｋ１１ａの厚さは、従来のケース９２の側壁と同様の厚さである。そして、本実施例におけるケース１２の側壁の下側には、厚壁部Ｋ１１ａよりも摺動方向の厚さが薄い薄壁部Ｋ１１ｂが形成される。すなわち、本実施例におけるケース１２は、従来のケース９２と比較して、側壁の下側が削成された形状に形成されている。これにより、ケース１２には、空間Ｃ１２が形成されることになる。
【００３４】
本実施例に係る携帯電話機１は、上述した空間Ｃ１２と、ＬＣＤモジュール１１の摺動領域とに、ＧＰＳフレーム１４などの部品が設置される。具体的には、図８の下段に示すように、ケース１２の側壁に形成された空間Ｃ１２、および、ＬＣＤモジュール１１が摺動することによってケース１２とＬＣＤモジュール１１との間に形成された隙間に、ＧＰＳフレーム１４などの部品が設置される。
【００３５】
このため、本実施例に係る携帯電話機１は、図１５に示した例と比較して分かるように、ＬＣＤモジュール１１を摺動させてケース１２に取り付ける場合であっても、可動側筐体１０が摺動方向に長くなってしまうことを防止することができる。具体的には、図１５に示した例では、ＬＣＤモジュール９１を摺動させるための領域を確保することによって、可動側筐体９０が摺動方向に長くなっている。一方、本実施例に係る携帯電話機１は、ＬＣＤモジュール１１が摺動された後に、かかる摺動によって形成された隙間である摺動領域と、ケース１２に形成された空間Ｃ１２とに、部品が設置されるように基板１３がケース１２に取り付けられる。これにより、本実施例に係る携帯電話機１は、可動側筐体１０が大型化することを防止することができる。
【００３６】
また、図８に示した例において、ＧＰＳフレーム１４の寸法Ｘ１は、ＬＣＤモジュール１１が摺動することにより形成された摺動領域、および、ケース１２の空間Ｃ１２の摺動方向の寸法Ｘ２とほぼ同一になるように形成されている。これにより、本実施例に係る携帯電話機１は、ＧＰＳフレーム１４によってＬＣＤモジュール１１の摺動方向における位置を固定させることができる。
【００３７】
具体的には、ＬＣＤモジュール１１をケース１２に取り付ける場合に、ＬＣＤモジュール１１が摺動方向に移動可能であるため、ＬＣＤモジュール１１の摺動方向における位置を固定することになる。本実施例に係る携帯電話機１は、ＧＰＳフレーム１４の寸法Ｘ１と、摺動領域および空間Ｃ１２の寸法Ｘ２とがほぼ同一であるので、ＬＣＤモジュール１１の位置を構成させる専用部品を用いることなく、ＬＣＤモジュール１１の位置を固定させることができる。
【００３８】
なお、図８では、ＧＰＳフレーム１４がケース１２に収納される場合を例に挙げて説明したが、ＧＰＳフレーム１４以外の部品がケース１２に収納されてもよい。例えば、照度センサフレーム１５や、レシーバ１６などの部品が上記摺動領域および空間Ｃ１２に収納されてもよい。また、ＧＰＳフレーム１４、照度センサフレーム１５、および、レシーバ１６などの複数の部品が上記摺動領域および空間Ｃ１２に収納されてもよい。
【００３９】
図９は、ＧＰＳフレーム１４と照度センサフレーム１５とレシーバ１６とがケース１２に収納された例を示す図である。図９に示した例では、ＬＣＤモジュール１１の摺動領域およびケース１２の空間Ｃ１２に、ＧＰＳフレーム１４と照度センサフレーム１５とレシーバ１６とが収納されている。図９に示した携帯電話機１は、ＧＰＳフレーム１４と照度センサフレーム１５とレシーバ１６とによって、ＬＣＤモジュール１１の摺動方向における位置が固定されている。
【００４０】
ここで、図１０に、ＧＰＳフレーム１４の拡大図を示す。また、図１１に、照度センサフレーム１５の拡大図を示す。図１０に示したＧＰＳフレーム１４や、図１１に示した照度センサフレーム１５は、ＬＣＤモジュール１１の摺動領域およびケース１２の空間Ｃ１２に収納可能な形状に形成される。なお、ここでは、図示することを省略したが、レシーバ１６もＬＣＤモジュール１１の摺動領域、および、ケース１２の空間Ｃ１２に収納可能な形状に形成される。
【００４１】
次に、図３、図６、図７および図８を用いて、ＬＣＤモジュール１１とケース１２と基板１３との接続手順について説明する。
【００４２】
（１）まず、図６および図７に示すように、ケース１２にＬＣＤモジュール１１を載置する。（２）次いで、表示器側係合爪１１ａ〜１１ｅと、ケース側係合爪１２ａ〜１２ｅとが係合するまでＬＣＤモジュール１１を摺動する。
【００４３】
（３）次いで、ＧＰＳフレーム１４などの部品が取り付けられた基板１３をケース１２に取り付ける。このとき、図８に示したように、ＬＣＤモジュール１１を摺動することにより形成された摺動領域、および、ケース１２の空間Ｃ１２に部品を配置する。
【００４４】
上述してきたように、本実施例に係る携帯電話機１は、表示器側係合爪を有するＬＣＤモジュール１１と、表示器側係合爪を摺動する摺動溝、および、表示器側係合爪と係合するケース側係合爪を有するケース１２とを有する。そして、本実施例に係る携帯電話機１は、表示器側係合爪がケース１２の摺動溝を摺動することによって、ケース１２にＬＣＤモジュール１１が取り付けられる。
【００４５】
これにより、本実施例に係る携帯電話機１は、従来の携帯電話機のようにＬＣＤモジュール１１をケース１２に圧入して取り付ける場合と異なり、ＬＣＤモジュール１１が取り付けられる際に、ＬＣＤモジュール１１が変形してしまうことを防止することができる。このため、本実施例に係る携帯電話機１は、ＬＣＤモジュール１１が取り付けられる際に、ＬＣＤモジュール１１が破損してしまうことを防止することができる。
【００４６】
さらに、本実施例に係る携帯電話機１は、ＬＣＤモジュール１１が摺動することによってケース１２とＬＣＤモジュール１１との間に形成された隙間に部品が配置される。これにより、本実施例に係る携帯電話機１は、ＬＣＤモジュール１１を摺動させてケース１２に取り付ける場合であっても、可動側筐体１０が大型化することを防止することができる。
【００４７】
また、本実施例に係る携帯電話機１は、図８に示したように、厚壁部Ｋ１１ａと、厚壁部Ｋ１１ａよりも摺動方向の厚さが薄い薄壁部Ｋ１１ｂとを含むケース１２が用いられる。これにより、本実施例に係る携帯電話機１は、可動側筐体１０が大型化することを防止することができる。
【００４８】
特に、厚壁部Ｋ１１ａと薄壁部Ｋ１１ｂとを含むケース１２を用いる携帯電話機１の例は、防水機能付き携帯電話機に適用することができる。具体的には、防水機能付き携帯電話機は、防水性を確保するために、防水機能を有しない携帯電話機よりもケースの側壁が厚い。したがって、防水機能付き携帯電話機の場合には、図８に示した例のように、ケースとパネルとの接合面以外の側壁を薄い形状にすることができる。このため、本願の開示する携帯端末装置は、特に防水機能付き携帯電話機に適用する場合に有用である。
【００４９】
また、本実施例に係る携帯電話機１は、ＬＣＤモジュール１１が摺動することによってケース１２とＬＣＤモジュール１１との間に形成された隙間に、かかる隙間とほぼ同一の寸法の部品が配置される。これにより、本実施例に係る携帯電話機１は、かかる部品によってＬＣＤモジュール１１の摺動方向における位置を固定させることができる。
【００５０】
以上のことから、本実施例に係る携帯電話機１は、筐体が大型化することを防止しつつ、表示器の破損を防止することができる。
【００５１】
（他の実施例）
さて、本願の開示する携帯端末装置の実施例について説明したが、本願の開示する携帯端末装置は上述した実施例以外にも、種々の異なる実施例にて実施することもできる。
【００５２】
すなわち、本実施例では、可動側筐体１０と固定側筐体２０とを有する開閉型の携帯端末装置を例に挙げて説明したが、本願の開示する携帯端末装置は、開閉型以外の携帯端末装置にも適用することができる。例えば、本願の開示する携帯端末装置は、スライド方式や平面回転方式の連結部によって固定側筐体に対して可動側筐体を可動自在とした携帯電話機にも同様に適用することができる。
【００５３】
また、本実施例では、携帯端末装置としての携帯電話機への適用例を説明したが、本願の開示する携帯端末装置は、これに限定されるものではない。例えば、本願の開示する携帯端末装置は、ＰＤＡのような小型情報処理端末、小型音楽再生装置、携帯テレビ、携帯型ゲーム機等の他の各種携帯端末装置にも適用することができる。
【符号の説明】
【００５４】
１、９  携帯電話機
１０  可動側筐体
１１  ＬＣＤモジュール
１１ａ〜１１ｆ  表示器側係合爪
１２  ケース
１２ａ〜１２ｆ  ケース側係合爪
１３  基板
１４  ＧＰＳフレーム
１５  照度センサフレーム
１６  レシーバ
１７  パネル
２０  固定側筐体
２１  操作部
２２  サイドキー
３０  連結部
９０  可動側筐体
９１  ＬＣＤモジュール
９１ａ  ＬＣＤ側係合爪
９２  ケース
９２ａ、９２ｂ  ケース側係合爪
９３  基板
９４  ＧＰＳフレーム
９７  パネル
【図１】
2011055297.tif 000003
【図２】
2011055297.tif 000004
【図３】
2011055297.tif 000005
【図４】
2011055297.tif 000006
【図５】
2011055297.tif 000007
【図６】
2011055297.tif 000008
【図７】
2011055297.tif 000009
【図８】
2011055297.tif 000010
【図９】
2011055297.tif 000011
【図１０】
2011055297.tif 000012
【図１１】
2011055297.tif 000013
【図１２】
2011055297.tif 000014
【図１３】
2011055297.tif 000015
【図１４】
2011055297.tif 000016
【図１５】
2011055297.tif 000017